(57)【要約】【課題】安価な構成で純水の供給量を正確に計量することができる純水供給システムを提供する。【解決手段】純水供給システム１は、純水を溜める貯留槽１０と、この貯留槽１０に溜めた純水を貯留槽１０の外部に送給して貯留槽１０に戻す循環路１２と、貯留槽１０から循環路１２に純水を送給するポンプ１１とを備えている。循環路１２の途中部には、鉛直下方に延びて循環路１２を流れる純水を反応槽３に供給する供給配管１３が接続されている。前記循環路１２には、前記途中部から上流側の所定範囲にかけて水平方向に延びる主管部１２ｅ１が設けられ、この主管部１２ｅ１には反応槽３に供給される純水の流量を計量する流量計８が配置されている。循環路１２の前記塗中部よりも下流側には、循環路１２を開閉する第１開閉弁１４ａが配置され、供給配管１３には当該供給配管１３を開閉する第２開閉弁１４ｂが配置されている。【選択図】図１
2012210573.tif 000002
【特許請求の範囲】
【請求項１】
純水を溜める貯留槽と、
前記貯留槽に溜めた純水を当該貯留槽の外部に送給して当該貯留槽に戻す循環路と、
前記循環路の途中部から分岐して鉛直下方に延び、当該循環路を流れる純水を反応槽に供給する供給路と、
前記貯留槽から前記循環路に純水を送給するポンプと、を備えた純水供給システムにおいて、
前記循環路の前記途中部の下流側に介在され、当該循環路を開閉する第１開閉弁と、
前記供給路を開閉する第２開閉弁と、
前記循環路の一部であって、前記途中部からその上流側の所定範囲にかけて設けられた水平方向に延びる水平路と、
前記水平路の途中部に介在され、当該水平路及び前記供給路を通して前記反応槽に供給される純水の流量を計量する流量計と、
を備えていることを特徴とする純水供給システム。
【請求項２】
前記循環路は、前記流量計よりも上流側と、前記第１開閉弁よりも下流側とを連通接続するバイパス路を有している請求項１に記載の純水供給システム。
【発明の詳細な説明】
【技術分野】
【０００１】
本発明は、医薬品等の製造時に用いられる純水供給システムに関する。
【背景技術】
【０００２】
例えば、医薬品の製造時に用いられる純水供給システムとして、貯留槽内に溜めた純水を、細菌等の微生物が繁殖するのを抑制するために循環させる循環路を備え、この循環路から分岐した供給路を通して所定の反応を行わせる反応槽に純水を供給するものが知られている（例えば、特許文献１参照）。
【０００３】
図２は、従来の純水供給システムの構成を示す模式図である。図２において、純水供給システム１０１は、ポンプ１１１と、貯留槽１１０内に溜めた純水を前記ポンプ１１１により貯留槽１１０の外部に送給して貯留槽１１０に戻す循環路１１２と、この循環路１１２の途中から分岐して反応槽１０３に純水を供給する供給路１１３とを備えている。供給路１１３の途中には、開閉弁１１４と、反応槽１０３に供給される純水の供給量を計測する流量計１１５とが介在されている。
【先行技術文献】
【特許文献】
【０００４】
【特許文献１】特開平９−９４５６２号公報
【発明の概要】
【発明が解決しようとする課題】
【０００５】
ところで、路内を通過する液体の流量を計測するものとして、面積式、容積式、渦式等の流量計が存在するが、これらの流量計により液体の流量を正確に計測するためには、流量計の構成上、流量計内に液体が充満した状態で流れていることが必要である。しかし、従来の前記純水供給システムにあっては、流量計１１５が配置されている供給路１１３は、水溜まりが発生しないように循環路１１２から鉛直下方に延びて配置されているため、供給路１１３内を流れる純水は、流量計１１５内に充満されることなく重力により落下する。このため、流量計１１５により純水の供給量を正確に計量することができないという問題があった。
【０００６】
前記問題を解決するために、反応槽１０３の底部にロードセルを設置し、このロードセルによって反応槽１０３内に供給された純水の供給量を計量することが考えられるが、この場合はロードセルを設置するための費用が増大するため、製造コストの観点から好ましくない。
本発明は、このような事情に鑑みてなされたものであり、安価な構成で純水の供給量を正確に計量することができる純水供給システムを提供することを目的としている。
【課題を解決するための手段】
【０００７】
本発明の純水供給システムは、純水を溜める貯留槽と、前記貯留槽に溜めた純水を当該貯留槽の外部に送給して当該貯留槽に戻す循環路と、前記循環路の途中部から分岐して鉛直下方に延び、当該循環路を流れる純水を反応槽に供給する供給路と、前記貯留槽から前記循環路に純水を送給するポンプと、を備えた純水供給システムにおいて、前記循環路の前記途中部の下流側に介在され、当該循環路を開閉する第１開閉弁と、前記供給路を開閉する第２開閉弁と、前記循環路の一部であって、前記途中部からその上流側の所定範囲にかけて設けられた水平方向に延びる水平路と、前記水平路の途中部に介在され、当該水平路及び前記供給路を通して前記反応槽に供給される純水の流量を計量する流量計と、を備えていることを特徴とする。
【０００８】
本発明によれば、第１開閉弁により循環路を開けるとともに第２開閉弁により供給路を閉じることで、貯留槽内の純水を循環路内において循環させることができ、純水内に微生物が繁殖するのを抑制することができる。そして、この状態から第１開閉弁により循環路を閉じるとともに、第２開閉弁により供給路を開けることで、循環路内の純水を供給路を介して反応槽に供給するとともに、反応槽に供給される純水を水平路において流量計により計測することができる。その際、流量計は水平方向に延びる水平路に配置されているため、流量計内を流れる純水を、従来のように重力により落下することなく流量計内を充満した状態で流すことができる。これにより、安価な構成で純水の供給量を正確に計測することができる。
【０００９】
また、前記循環路は、前記流量計よりも上流側と、前記第１開閉弁よりも下流側とを連通接続するバイパス路を有していることが好ましい。この場合は、純水を反応槽に供給する際に、第１開閉弁により循環路を閉じていても、純水がバイパス路を流れることにより、純水の循環流れが阻害されることはない。したがって、循環路の閉鎖に起因するウォーターハンマー現象（水流の慣性により路内に衝撃や振動圧が発生する現象）を抑制することができる。
【発明の効果】
【００１０】
本発明の純水供給システムによれば、安価な構成で純水の供給量を正確に計測することができる。
【図面の簡単な説明】
【００１１】
【図１】本発明の一実施形態に係る純水供給システムの構成を示す模式図である。
【図２】従来の純水供給システムの構成を示す模式図である。
【発明を実施するための形態】
【００１２】
以下、本発明の実施の形態を図面に基づいて説明する。
図１は、本発明の一実施形態に係る純水供給システムの構成を示す模式図である。純水供給システム１は、例えば医薬品の製造時に用いられる純水を供給するものである。この純水供給システム１は、純水を溜める貯留槽１０と、この貯留槽１０に溜めた純水を貯留槽１０の外部に送給して貯留槽１０に戻す循環路１２と、この循環路１２の途中部から分岐して循環路１２を流れる純水を反応槽３に供給する供給配管（供給路）１３と、貯留槽１０から循環路１２に純水を送給するポンプ１１とを備えている。反応槽３の内底部は、排出管４を介して排水槽５に接続されている。
【００１３】
循環路１２は、貯留槽１０の下部とポンプ１１とを接続する第１配管１２ａと、ポンプ１１から上方に延びる第２配管１２ｂと、この第２配管１２ｂの下流側端部から水平方向に延びる第３配管１２ｃと、この第３配管１２ｃの下流側端部から上方に延びる第４配管１２ｄと、この第４配管１２ｄの下流側端部に接続された第５配管１２ｅと、この第５配管１２ｅと貯留槽１０の上部とを接続する第６配管１２ｆとによって構成されている。
【００１４】
第１配管１２ａ及び第２配管１２ｂには、当該第１及び第２配管１２ａ，１２ｂ内をそれぞれ開閉する第４開閉弁１４ｄ及び第５開閉弁１４ｅが配置されている。第４及び第５開閉弁１４ｄ，１４ｅは、通常時は第１及び第２配管１２ａ，１２ｂを開けており、メンテナンス時や緊急時等に第１及び第２配管１２ａ，１２ｂを閉じるようになっている。
【００１５】
第２配管１２ｂ及び第３配管１２ｃは、それぞれ第１分岐管６ａ及び第２分岐管６ｂを介して、殺菌用のＵＶランプ装置７に接続されている。第１及び第２分岐管６ａ，６ｂには、それぞれ第６開閉弁１４ｆ及び第７開閉弁１４ｇが配置されており、第６及び第７開閉弁１４ｆ，１４ｇは、通常時は第１及び第２分岐管６ａ，６ｂを開けており、循環している純水をＵＶランプ装置７により常に殺菌するようになっている。
【００１６】
第５配管１２ｅは、全長に亘って水平方向に延びる主管部（水平路）１２ｅ１と、この主管部１２ｅ１に両端部が接続されたバイパス管部（バイパス路）１２ｅ２とを備えている。主管部１２ｅ１の管径は、例えば４０ｍｍに設定されており、その途中部には、前記供給配管１３の上流側端部が接続されている。また、主管部１２ｅ１の前記途中部の上流側には流量計８が配置されており、前記途中部の下流側には主管部１２ｅ１を開閉する第１開閉弁１４ａが配置されている。
【００１７】
流量計８は、例えば渦式の計測方式によって、主管部１２ｅ１及び供給配管１３を通して前記反応槽３に供給される純水の流量を計量するものである。
第１開閉弁１４ａは、純水を循環路１２によって循環させるときは主管部１２ｅ１を開け、純水を反応槽３に供給するときは主管部１２ｅ１を閉じるようになっている。
【００１８】
バイパス管部１２ｅ２の上流側端部は、主管部１２ｅ１の流量計８よりも上流側に接続されており、バイパス管部１２ｅ２の下流側端部は、主管部１２ｅ１の第１開閉弁１４ａよりも下流側に接続されている。また、バイパス管部１２ｅ２には、当該バイパス管部１２ｅ２を開閉する第３開閉弁１４ｃが配置されている。この第３開閉弁１４ｃは、常に開いている。これにより、第１開閉弁１４ａが主管部１２ｅ１を閉じているときに、第４配管１２ｄから主管部１２ｅ１に流れる純水の一部を、バイパス管部１２ｅ２を介して第６配管１２ｆに流すことができる。
【００１９】
バイパス管部１２ｅ２の管径は、例えば２５ｍｍに設定されており、主管部１２ｅ１の管径よりも小径に形成されている。したがって、第５配管１２ｅに流れる純水の大部分は、主管部１２ｅ１を流れるようになっている。
【００２０】
供給配管１３は、管内に水溜まりが発生しないように、前記主管部１２ｅ１の途中部から分岐して鉛直下方に延びており、その下流側端部は前記反応槽３に接続されている。供給配管１３には、当該供給配管１３を開閉する第２開閉弁１４ｂが配置されている。この第２開閉弁１４ｂは、純水を循環路１２によって循環させるときは供給配管１３を閉じ、純水を反応槽３に供給するときは供給配管１３を開ける。
【００２１】
その際、第１開閉弁１４ａを閉じてから所定時間経過後（例えば２０秒後）に、第２開閉弁１４ｂが自動で開くようになっている。前記所定時間は、主管部１２ｅ１の流量計８と第１開閉弁１４ａとの間、及び供給配管１３の上流側端部と第２開閉弁１４ｂとの間に、純水が充満するまでの時間に設定されている。これにより、第１開閉弁１４ａを閉じてから第２開閉弁１４ｂが開くまでの間に、流量計８内を純水が通過することがないため、反応槽３に供給される純水をより正確に計測することができる。本実施形態では、流量計８により１００ｋｇの純水を計測したときの計測誤差を±３％以内に抑えることができる。
【００２２】
以上、本発明の純水供給システム１によれば、第１開閉弁１４ａにより主管部１２ｅ１を開けるとともに第２開閉弁１４ｂにより供給配管１３を閉じることで、貯留槽１０内の純水を循環路１２内において循環させることができ、純水内に微生物が繁殖するのを抑制することができる。そして、この状態から第１開閉弁１４ａにより主管部１２ｅ１を閉じるとともに、第２開閉弁１４ｂにより供給配管１３を開けることで、循環路１２内の純水を供給配管１３を介して反応槽３に供給するとともに、反応槽３に供給される純水を主管部１２ｅ１において流量計８により計測することができる。その際、流量計８は水平方向に延びる主管部１２ｅ１に配置されているため、流量計８内を流れる純水を、従来のように重力により落下することなく流量計８内を充満した状態で流すことができる。これにより、安価な構成で純水の供給量を正確に計測することができる。
【００２３】
また、循環路１２を構成する第５配管１２ｅには、流量計８よりも上流側と、第１開閉弁１４ａよりも下流側とを連通接続するバイパス管部１２ｅ２を備えているため、純水を反応槽３に供給する際に、第１開閉弁１４ａにより第５配管１２ｅの主管部１２ｅ１を閉じていても、純水がバイパス管部１２ｅ２を流れることにより、純水の循環流れが阻害されることはない。これにより、主管部１２ｅ１の閉鎖に起因するウォーターハンマー現象（水流の慣性により路内に衝撃や振動圧が発生する現象）を抑制することができる。
【００２４】
なお、本発明は、上記の実施形態に限定されることなく適宜変更して実施可能である。例えば、本実施形態では、循環路から単一の反応槽に純水を供給する場合について説明したが、循環路から複数の反応槽に純水を供給する場合にも適用することができる。
【００２５】
また、本発明の主管部は、全長に亘って水平方向に延びているが、少なくとも供給管が接続される途中部からその上流側の所定範囲にかけて水平方向に延びていればよい。この所定範囲は、流量計が前記途中部から遠く離れることによって、計量精度が低下するのを防止できる範囲である。
さらに、第２開閉弁は、自動で閉じるようになっているが、手動で閉じるようにしてもよい。
【符号の説明】
【００２６】
１      純水供給システム
３      反応槽
８      流量計
１０      貯留槽
１１      ポンプ
１２      循環路
１３      供給配管（供給路）
１２ｅ１  主管部（水平路）
１２ｅ２  バイパス管部（バイパス路）
１４ａ    第１開閉弁
１４ｂ    第２開閉弁
【図１】
2012210573.tif 000003
【図２】
2012210573.tif 000004